(57)【特許請求の範囲】
【請求項１】
第１の被験者が横臥するための領域と重なる第１領域、及び、
第２の被験者が横臥するための領域と重なる第２領域、
を含み、
前記第１領域の一部の領域の圧力を検出し検出結果を示す第１出力信号を出力する第１の圧力検出部、
前記第２領域の一部の領域の圧力を検出し検出結果を示す第２出力信号を出力する第２の圧力検出部、
前記第２領域のうち前記第２領域の一部の領域とは異なる領域の圧力を検出し検出結果を示す第３出力信号を出力する第３の圧力検出部、及び、
前記第１領域のうち前記第１領域の一部の領域とは異なる領域の圧力を検出し検出結果を示す第４出力信号を出力する第４の圧力検出部、
を具備する体動検出部と、
前記第１出力信号及び前記第３出力信号に基づいて、前記第１の被験者の身体の動きを表す第１生体情報を算出し、
前記第２出力信号及び前記第４出力信号に基づいて、前記第２の被験者の身体の動きを表す第２生体情報を算出する、
体動情報分離部と、
を備える、
ことを特徴とする生体情報測定装置。
【請求項２】
前記体動検出部は、
前記第１領域及び前記第２領域の間に第３領域を有し、
前記第１乃至第４の圧力検出部の各々は、
所定の流体を内封する流体室と、
前記流体室の内部の圧力を検出し当該検出結果に応じた大きさを示す出力信号を生成する信号生成部と、
を備え、
前記第３の圧力検出部の流体室は、
前記第１領域、前記第２領域、及び、前記第３領域に延在し、
前記第４の圧力検出部の流体室は、
前記第１領域、前記第２領域、及び、前記第３領域に延在し、
前記第２領域のうち前記第３の圧力検出部の流体室が設けられる領域の面積は、前記第１領域のうち前記第３の圧力検出部の流体室が設けられる領域の面積よりも大きく、
前記第１領域のうち前記第４の圧力検出部の流体室が設けられる領域の面積は、前記第２領域のうち前記第４の圧力検出部の流体室が設けられる領域の面積よりも大きい、
ことを特徴とする、請求項１に記載の生体情報測定装置。
【請求項３】
前記第１領域のうち前記第１の圧力検出部の流体室が設けられる領域の面積は、前記第１領域のうち前記第３の圧力検出部の流体室が設けられる領域の面積と、前記第１領域のうち前記第４の圧力検出部の流体室が設けられる領域の面積との和よりも大きく、
前記第２領域のうち前記第２の圧力検出部の流体室が設けられる領域の面積は、前記第２領域のうち前記第３の圧力検出部の流体室が設けられる領域の面積と、前記第２領域のうち前記第４の圧力検出部の流体室が設けられる領域の面積との和よりも大きい、
ことを特徴とする、請求項２に記載の生体情報測定装置。
【請求項４】
前記体動情報分離部は、
前記第１出力信号から前記第３出力信号を減算することにより、前記第１生体情報を算出し、
前記第２出力信号から前記第４出力信号を減算することにより、前記第２生体情報を算出する、
ことを特徴とする、請求項１乃至３のうちいずれか１項に記載の生体情報測定装置。
【請求項５】
前記生体情報測定装置は、
前記第１生体情報に基づいて、前記第１の被験者の脈拍を表す第１脈拍信号、前記第１の被験者の呼吸を表す第１呼吸信号、及び、前記第１の被験者の体動を表す第１体動信号の少なくとも一つを算出するとともに、前記第２生体情報に基づいて、前記第２の被験者の脈拍を表す第２脈拍信号、前記第２の被験者の呼吸を表す第２呼吸信号、及び、前記第２の被験者の体動を表す第２体動信号の少なくとも一つを算出する、信号抽出部を備える、
ことを特徴とする、請求項１乃至４のうちいずれか１項に記載の生体情報測定装置。
【発明の詳細な説明】
【技術分野】
【０００１】
本発明は、生体情報測定装置に関する。
【背景技術】
【０００２】
睡眠時における被験者の生体情報を計測する装置が提供されている。例えば、特許文献１には、流体を内封したマットレスを寝具の下に敷き、当該マットレスの圧力変動を用いて寝具上の被験者の身体の動きを検出し、当該検出結果に基づいて被験者の睡眠状態及び覚醒状態の別を判別する技術が開示されている。当該技術を用いる場合、被験者の手首または足首等にバンドを装着して被験者の生体情報を測定する方法に比べて、被験者に精神的及び肉体的負担をかけずに生体情報を収集することが可能となる。
【先行技術文献】
【特許文献】
【０００３】
【特許文献１】特開２００９−１６０００１号公報
【発明の概要】
【発明が解決しようとする課題】
【０００４】
２人の被験者が１つの寝具上に就寝する場合がある。１つの寝具上の２人の被験者各々の生体情報を個別に測定する場合、２人の被験者の各々がバンドを装着して生体情報を測定すれば、２人の被験者各々の生体情報を正確に取得することができる。しかし、この方法では、被験者に精神的及び肉体的負担をかけるという問題が生じる。
一方、２人の被験者が共有する寝具の下に流体を内封したマットレスを配置し、当該マットレスの圧力変化により被験者の身体の動きを測定する場合、２人の被験者の体動、脈拍等が混在した値が測定されるため、各被験者の生体情報を正確に測定することができない。
本発明は、上述した事情に鑑みてなされたものであり、２人の被験者が１つの寝具上に就寝する場合に、被験者に精神的及び肉体的負荷をかけることなく、２人の被験者の各々の生体情報を取得することが可能な生体情報測定装置を提供することを解決課題とする。
【課題を解決するための手段】
【０００７】
上述した課題を解決するため、本発明に係る生体情報測定装置は、第１の被験者が横臥するための領域と重なる第１領域、及び、第２の被験者が横臥するための領域と重なる第２領域、を含み、前記第１領域の一部の領域の圧力を検出し検出結果を示す第１出力信号を出力する第１の圧力検出部、前記第２領域の一部の領域の圧力を検出し検出結果を示す第２出力信号を出力する第２の圧力検出部、前記第２領域のうち前記第２領域の一部の領域とは異なる領域の圧力を検出し検出結果を示す第３出力信号を出力する第３の圧力検出部、及び、前記第１領域のうち前記第１領域の一部の領域とは異なる領域の圧力を検出し検出結果を示す第４出力信号を出力する第４の圧力検出部、を具備する体動検出部と、前記第１出力信号及び前記第３出力信号に基づいて、前記第１の被験者の身体の動きを表す第１生体情報を算出し、前記第２出力信号及び前記第４出力信号に基づいて、前記第２の被験者の身体の動きを表す第２生体情報を算出する、体動情報分離部と、を備える、ことを特徴とする。
【０００８】
この発明によれば、第１の圧力検出部と第３の圧力検出部とを用いて、第１の被験者の身体の動きを表す第１生体情報を算出するとともに、第２の圧力検出部と第４の圧力検出部とを用いて、第２の被験者の身体の動きを表す第２生体情報を算出する。
第１の圧力検出部は、第１領域に設けられる。従って、第１の圧力検出部が出力する第１出力信号が有する成分のうち、第１の被験者の身体の動きを表す成分の示す大きさは、第２の被験者の身体の動きを表す成分の示す大きさに比べて大きい。一方、第３の圧力検出部の圧力を検出する。従って、第３の圧力検出部が出力する第３出力信号の示す大きさに対して第２の被験者の身体の動きを表す成分の示す大きさが占める割合は、第１出力信号の示す大きさに対して第２の被験者の身体の動きを表す成分の示す大きさが占める割合に比べて大きくなる。従って、第３出力信号を用いることで、第１出力信号のうち、第２の被験者の身体の動きを表す成分の示す大きさを小さくする（或いは、当該成分を取り除く）ことができる。例えば、第１出力信号（または、第１出力信号を増幅させた信号）から、第３出力信号（または、第３出力信号を増幅させた信号）を減算することにより、第１出力信号のうち第２の被験者の身体の動きを表す成分の示す大きさを小さくする（或いは、当該成分を取り除く）ことができる。このように、本発明に係る生体情報測定装置は、第１の被験者の身体の動きを個別に測定することが可能となる。
同様に、本発明に係る生体情報測定装置は、第２出力信号が有する成分のうち、第１の被験者の身体の動きを表す成分の示す大きさを、第４出力信号を用いて小さくすることにより、第２の被験者の身体の動きを個別に測定することが可能となる。
【０００９】
上述した生体情報測定装置において、前記体動検出部は、前記第１領域及び前記第２領域の間に第３領域を有し、前記第１乃至第４の圧力検出部の各々は、所定の流体を内封する流体室と、前記流体室の内部の圧力を検出し当該検出結果に応じた大きさを示す出力信号を生成する信号生成部と、を備え、前記第３の圧力検出部の流体室は、前記第１領域、前記第２領域、及び、前記第３領域に延在し、前記第４の圧力検出部の流体室は、前記第１領域、前記第２領域、及び、前記第３領域に延在し、前記第２領域のうち前記第３の圧力検出部の流体室が設けられる領域の面積は、前記第１領域のうち前記第３の圧力検出部の流体室が設けられる領域の面積よりも大きく、前記第１領域のうち前記第４の圧力検出部の流体室が設けられる領域の面積は、前記第２領域のうち前記第４の圧力検出部の流体室が設けられる領域の面積よりも大きい、ことが好ましい。
【００１０】
この態様によれば、第３の圧力検出部が備える流体室は、第２領域のうち第３の圧力検出部の流体室が設けられる領域の面積が、第１領域のうち第３の圧力検出部の流体室が設けられる領域の面積よりも大きくなるように設けられるため、第３出力信号の有する成分のうち、第２の被験者の身体の動きを表す成分の示す大きさが、第１の被験者の身体の動きを表す成分の示す大きさよりも大きくなる。
従って、このような第３出力信号により、第１出力信号に含まれる第２の被験者の身体の動きを表す成分の示す大きさを小さくする（或いは、当該成分を取り除く）ことで第１生体情報を算出することにより、第１生体情報が、第１の被験者の身体の動きを正確に表すことが可能となる。
同様に、第１の被験者の身体の動きを表す成分を多く含む第４出力信号を用いて、第２出力信号に含まれる第１の被験者の身体の動きを表す成分の示す大きさを小さくする（或いは、当該成分を取り除く）ことで第２生体情報を算出することにより、第２生体情報が、第２の被験者の身体の動きを正確に表すことが可能となる。
【００１１】
また、上述した生体情報測定装置は、前記第１領域のうち前記第１の圧力検出部の流体室が設けられる領域の面積は、前記第１領域のうち第３の圧力検出部の流体室が設けられる領域の面積と前記第１領域のうち第４の圧力検出部の流体室が設けられる領域の面積との和よりも大きく、前記第２領域のうち前記第２の圧力検出部の流体室が設けられる領域の面積は、前記第２領域のうち第３の圧力検出部の流体室が設けられる領域の面積と前記第２領域のうち第４の圧力検出部の流体室が設けられる領域の面積との和よりも大きい、ことを特徴としてもよい。
【００１２】
また、上述した生体情報測定装置において、前記体動情報分離部は、前記第１出力信号から前記第３出力信号を減算することにより、前記第１生体情報を算出し、前記第２出力信号から前記第４出力信号を減算することにより、前記第２生体情報を算出する、ことを特徴としてもよい。
この態様によれば、第１生体情報が第１の被験者の身体の動きを正確に表すとともに、第２生体情報が第２の被験者の身体の動きを正確に表すことができるため、１つの寝具上に横臥する第１の被験者及び第２の被験者の各々の身体の動きを同時に測定することができる。
【００１３】
また、上述した生体情報測定装置１は、前記第１生体情報に基づいて、前記第１の被験者の脈拍を表す第１脈拍信号、前記第１の被験者の呼吸を表す第１呼吸信号、及び、前記第１の被験者の体動を表す第１体動信号の少なくとも一つを算出するとともに、前記第２生体情報に基づいて、前記第２の被験者の脈拍を表す第２脈拍信号、前記第２の被験者の呼吸を表す第２呼吸信号、及び、前記第２の被験者の体動を表す第２体動信号の少なくとも一つを算出する、信号抽出部を備える、ことが好ましい。
この発明によれば、第１の被験者及び第２の被験者の各々の脈拍、呼吸、体動を、同時に取得することが可能となる。
【図面の簡単な説明】
【００１４】
【図１】本発明の実施形態に係る生体情報測定装置の斜視図である。
【図２】同生体情報測定装置が備える体動検出部及び寝具の平面図である。
【図３】同生体情報測定装置の構成を示すブロック図である。
【図４】同生体情報測定装置が備える体動検出部の平面図である。
【図５】同生体情報測定装置が備える体動検出部及び寝具の部分断面図である。
【図６】対比例１に係る生体情報測定装置が備える体動検出部の平面図である。
【図７】対比例２に係る生体情報測定装置が備える体動検出部の平面図である。
【図８】シミュレーションで用いられる関数Ａ（ｔ）を表すグラフである。
【図９】シミュレーションで用いられる関数Ｂ（ｔ）を表すグラフである。
【図１０】シミュレーションで算出される関数ＦＡ（ｔ）を表すグラフである。
【図１１】シミュレーションで算出される関数ＦＢ（ｔ）を表すグラフである。
【図１２】変形例５に係る生体情報測定装置が備える体動検出部の平面図である。
【発明を実施するための形態】
【００１５】
＜実施形態＞
以下、添付の図面を参照しながら本発明に係る様々な実施の形態を説明する。
【００１６】
図１は、本発明の実施形態に係る生体情報測定装置１の斜視図である。生体情報測定装置１は、寝具Ｍに横臥する２名の被験者（第１の被験者ＨＡ、及び、第２の被験者ＨＢ）の各々の生体情報を測定する装置である。
生体情報測定装置１は、図１に示すように、寝具Ｍの下側に配置されて２名の被験者の身体の動きを検出する体動検出部１０、体動検出部１０の検出結果に基づいて第１の２名の被験者の各々の生体情報を算出する制御ボックス３０、及び、体動検出部１０から出力される各種信号を制御ボックス３０に伝達するための配線２００を備える。
【００１７】
図２は、寝具Ｍ及び体動検出部１０を、寝具Ｍの上側（すなわち、寝具Ｍが有する面のうち被験者が横臥する面に垂直な方向）から見たときの平面図である。なお、以下では、寝具Ｍの上側から体動検出部１０または寝具Ｍを見ることを、単に「平面視する」と表現する場合がある。
寝具Ｍは、図２に示すように、第１の被験者ＨＡが横臥するための第１寝具領域ＡＲｍ１、及び、第２の被験者ＨＢが横臥するための第２寝具領域ＡＲｍ２を備える。すなわち、平面視して寝具Ｍを左右に二分する直線を中心線Ｍｉｄとしたとき、第１寝具領域ＡＲｍ１と、第２寝具領域ＡＲｍ２とは、中心線Ｍｉｄを挟んで互いに反対側に位置する。
体動検出部１０は、平面視したときに第１寝具領域ＡＲｍ１と重なる第１領域ＡＲ１、平面視したときに第２寝具領域ＡＲｍ２と重なる第２領域ＡＲ２、及び、第１領域ＡＲ１と第２領域ＡＲ２との間の第３領域ＡＲ３に区分される。
【００１８】
図３は、生体情報測定装置１の構成を示すブロック図である。
図３に示すように、体動検出部１０は、流体室Ｃ１と信号生成部Ｄ１とを有する圧力検出部Ｐ１（第１の圧力検出部）、流体室Ｃ２と信号生成部Ｄ２とを有する圧力検出部Ｐ２（第２の圧力検出部）、流体室Ｃ３と信号生成部Ｄ３とを有する圧力検出部Ｐ３（第３の圧力検出部）、及び、流体室Ｃ４と信号生成部Ｄ４とを有する圧力検出部Ｐ４（第４の圧力検出部）を備える。
以下では、圧力検出部Ｐ１〜Ｐ４を圧力検出部Ｐと総称し、流体室Ｃ１〜Ｃ４を流体室Ｃと総称し、信号生成部Ｄ１〜Ｄ４を信号生成部Ｄと総称する場合がある。
【００１９】
流体室Ｃは、水、空気等の非圧縮性の流体が内封された内部空間を有するマットレスであり、弾性材料により袋状に形成される。
信号生成部Ｄは、流体室Ｃの内部空間の圧力の変化を、センサ（例えば、コンデンサマイクロホン）を用いて検出し、検出結果に応じた大きさを示す出力信号Ｆを出力する。より具体的には、信号生成部Ｄ１は、流体室Ｃ１の内部の圧力変化の大きさを示す出力信号Ｆ１（第１出力信号）を出力し、信号生成部Ｄ２は、流体室Ｃ２の内部の圧力変化の大きさを示す出力信号Ｆ２（第２出力信号）を出力し、信号生成部Ｄ３は、流体室Ｃ３の内部の圧力変化の大きさを示す出力信号Ｆ３（第３出力信号）を出力し、信号生成部Ｄ４は、流体室Ｃ４の内部の圧力変化の大きさを示す出力信号Ｆ４（第４出力信号）を出力する。
なお、本実施形態では、信号生成部Ｄは、流体室Ｃの内部の圧力の変化を検出するが、流体室Ｃの内部の圧力を検出するものであってもよい。
また、本実施形態では、出力信号Ｆはアナログの信号であるが、デジタルの信号でもよい。この場合、信号生成部Ｄ（信号生成部Ｄ１〜Ｄ４の各々）は、ＡＤ変換回路を備えるものであればよい。
【００２０】
一方、制御ボックス３０は、図３に示すように、体動検出部１０から出力される出力信号Ｆ１〜Ｆ４に基づいて２名の被験者の各々の生体情報を算出する演算処理部２０、電源オン／オフの操作及び測定開始／終了の操作等を行なう操作部３１、及び、生体情報の測定結果及び各種ガイダンス等の表示を行なう表示部３２を備える。また、図示は省略するが、制御ボックス３０は、生体情報測定装置１に電力を供給する電源と、体動検出部１０からの出力結果及び演算処理部２０の算出結果等を記憶する記憶部と、を備える。
演算処理部２０は、体動情報分離部２１と信号抽出部２２とを備える。この演算処理部２０は、図示省略された制御ボックス３０のＣＰＵ（central processing unit）がコンピュータプログラムを実行し、ＣＰＵがそのコンピュータプログラムに従って機能することにより実現される機能ブロックである。
【００２１】
体動情報分離部２１は、ＡＤ変換回路を備え、アナログの出力信号Ｆ１〜Ｆ４に基づいて、第１の被験者ＨＡの身体の動きを表すデジタルの第１生体情報ＦＡ、及び、第２の被験者ＨＢの身体の動きを表すデジタルの第２生体情報ＦＢを算出する。
ここで、「被験者の身体の動き」には、被験者の姿勢の変化等の体動の他、被験者の呼吸及び脈拍も含まれる。なお、第１生体情報ＦＡ及び第２生体情報ＦＢの具体的な算出方法については、後述する。
【００２２】
信号抽出部２２は、所定の帯域を通過させるフィルタを含んで構成される。信号抽出部２２は、第１生体情報ＦＡから、第１の被験者ＨＡの脈拍を表す第１脈拍信号、第１の被験者ＨＡの呼吸を表す第１呼吸信号、及び、第１の被験者ＨＡの体動を表す第１体動信号を抽出する。また、信号抽出部２２は、第２生体情報ＦＢから、第２の被験者ＨＢの脈拍を表す第２脈拍信号、第２の被験者ＨＢの呼吸を表す第２呼吸信号、及び、第２の被験者ＨＢの体動を表す第２体動信号を抽出する。なお、第１脈拍信号、第１呼吸信号、及び、第１体動信号を生体信号ＩＡと総称する場合がある。また、第２脈拍信号、第２呼吸信号、及び、第２体動信号を生体信号ＩＢと総称する場合がある。
【００２３】
図４は、体動検出部１０の平面図である。
図４に示すように、流体室Ｃ１〜Ｃ４は、平面視したときに、互いに重ならないように設けられる。具体的には、流体室Ｃ１は、第１領域ＡＲ１に設けられ、流体室Ｃ２は、第２領域ＡＲ２に設けられ、流体室Ｃ３は、第１領域ＡＲ１、第２領域ＡＲ２、及び、第３領域ＡＲ３のうち、流体室Ｃ１または流体室Ｃ２が設けられる領域以外の領域に設けられ、流体室Ｃ４は、第１領域ＡＲ１、第２領域ＡＲ２、及び、第３領域ＡＲ３のうち、流体室Ｃ１、流体室Ｃ２、または、流体室Ｃ３が設けられる領域以外の領域に設けられる。
なお、本実施形態では、平面視したときに、流体室Ｃ１の設けられる領域の面積と、流体室Ｃ２の設けられる領域の面積とは等しく、流体室Ｃ３の設けられる領域の面積と、流体室Ｃ４の設けられる領域の面積とは等しい。
以下では、第１領域ＡＲ１うち、流体室Ｃ３の設けられる領域を小領域ＡＲｐ１（第１小領域）と称し、流体室Ｃ４の設けられる領域を小領域ＡＲｐ２（第２小領域）と称する。また、第２領域ＡＲ２のうち、流体室Ｃ３の設けられる領域を小領域ＡＲｐ３（第３小領域）と称し、流体室Ｃ４の設けられる領域を小領域ＡＲｐ４（第４小領域）と称する。
【００２４】
被験者の身体の動きに伴い生じる振動は、寝具Ｍを介して体動検出部１０に伝播し、流体室Ｃの内部の圧力を変化させる。
図５は、寝具Ｍ及び体動検出部１０を、図２におけるＺ−Ｚ´線で破断した部分断面図である。図５に示すように、流体室Ｃ１の内部の圧力は、主として、流体室Ｃ１の直上の第１寝具領域ＡＲｍ１に横臥する第１の被験者ＨＡの身体の動きにより生じる振動ＶＡに基づいて変化する。
但し、第１の被験者ＨＡ及び第２の被験者ＨＢは１つの寝具Ｍ上に横臥しているため、第２の被験者ＨＢの身体の動きにより生じる振動は、寝具Ｍを介して流体室Ｃ１に伝播する。よって、流体室Ｃ１の内部の圧力は、振動ＶＡのみならず、第２の被験者ＨＢの身体の動きにより生じる振動ＶＢによっても変化する。例えば、寝具Ｍの剛性が高い場合には、第２の被験者ＨＢの身体の動きが流体室Ｃ１の内部の圧力に及ぼす影響も大きく、また、第２の被験者ＨＢと流体室Ｃ１との距離が短い場合には、第２の被験者ＨＢの身体の動きが流体室Ｃ１の内部の圧力に及ぼす影響も大きい。
同様に、流体室Ｃ２〜Ｃ４の内部の圧力は、第１の被験者ＨＡ及び第２の被験者ＨＢの双方の身体の動きに基づいて変化する。すなわち、出力信号Ｆ１〜Ｆ４の各々の示す大きさは、２名の被験者の双方の身体の動きに基づいて変化する。よって、出力信号Ｆ１〜Ｆ４のうちの１つの出力信号Ｆから、２名の被験者のうち一方の被験者の身体の動きを検出することはできない。
そこで、本実施形態では、複数の出力信号Ｆを用いて、２名の被験者の各々の身体の動き（第１生体情報ＦＡ、及び、第２生体情報ＦＢ）を算出する。
以下では、出力信号Ｆ１〜Ｆ４から、第１の被験者ＨＡの身体の動きを表す第１生体情報ＦＡ、及び、第２の被験者ＨＢの身体の動きを表す第２生体情報ＦＢを算出する方法について詳述する。
【００２５】
寝具Ｍ上に第１の被験者ＨＡのみが（第１寝具領域ＡＲｍ１に）横臥している場合の、時刻ｔにおける出力信号Ｆ１の大きさを表す関数をＡ（ｔ）とする。また、寝具Ｍ上に第２の被験者ＨＢのみが（第２寝具領域ＡＲｍ２に）横臥している場合の、時刻ｔにおける出力信号Ｆ２の大きさを表す関数をＢ（ｔ）とする。
このとき、寝具Ｍ上に第１の被験者ＨＡ及び第２の被験者ＨＢが横臥している場合の、時刻ｔにおける出力信号Ｆ１の大きさを表す関数Ｆ１（ｔ）は、関数Ａ（ｔ）及び関数Ｂ（ｔ）を用いて以下の式（１）で表され、時刻ｔにおける出力信号Ｆ２の大きさを表す関数Ｆ２（ｔ）は、以下の式（２）で表される。
Ｆ１（ｔ）  ＝  Ａ（ｔ）＋ｋ１×Ｂ（ｔ）  ……（１）
Ｆ２（ｔ）  ＝  Ｂ（ｔ）＋ｋ２×Ａ（ｔ）  ……（２）
すなわち、出力信号Ｆ１は、第１の被験者ＨＡの身体の動きを表す成分「Ａ（ｔ）」、及び、第２の被験者ＨＢの身体の動きを表す成分「ｋ１×Ｂ（ｔ）」を有する。同様に、出力信号Ｆ２は、第１の被験者ＨＡの身体の動きを表す成分「ｋ２×Ａ（ｔ）」、及び、第２の被験者ＨＢの身体の動きを表す成分「Ｂ（ｔ）」を有する。
なお、式（１）に現れる係数ｋ１は０＜ｋ１＜１を満たす実数であり、式（２）に現れる係数ｋ２は０＜ｋ２＜１を満たす実数である。
【００２６】
また、寝具Ｍ上に第１の被験者ＨＡ及び第２の被験者ＨＢが横臥している場合の、時刻ｔにおける出力信号Ｆ３の大きさを表す関数Ｆ３（ｔ）は、以下の式（３）で表され、時刻ｔにおける出力信号Ｆ４の大きさを表す関数Ｆ４（ｔ）は、以下の式（４）で表される。
Ｆ３（ｔ）  ＝  ｋ３×Ａ（ｔ）＋ｋ４×Ｂ（ｔ）  ……（３）
Ｆ４（ｔ）  ＝  ｋ５×Ａ（ｔ）＋ｋ６×Ｂ（ｔ）  ……（４）
すなわち、出力信号Ｆ３は、第１の被験者ＨＡの身体の動きを表す成分「ｋ３×Ａ（ｔ）」、及び、第２の被験者ＨＢの身体の動きを表す成分「ｋ４×Ｂ（ｔ）」を有する。同様に、出力信号Ｆ４は、第１の被験者ＨＡの身体の動きを表す成分「ｋ５×Ａ（ｔ）」、及び、第２の被験者ＨＢの身体の動きを表す成分「ｋ６×Ｂ（ｔ）」を有する。
ここで、係数ｋ３は０＜ｋ３＜１を満たす実数であり、係数ｋ４は０＜ｋ４＜１を満たす実数であり、係数ｋ５は０＜ｋ５＜１を満たす実数であり、係数ｋ６は０＜ｋ６＜１を満たす実数である。具体的には、平面視したときの流体室Ｃ３の設けられる領域の面積をＳ３とし、小領域ＡＲｐ１の面積をＳｐ１とし、小領域ＡＲｐ３の面積をＳｐ３とすると、係数ｋ３は、面積Ｓ３に対する面積Ｓｐ１の割合に基づいて定められる値であり、係数ｋ４は、面積Ｓ３に対する面積Ｓｐ３の割合に基づいて定められる値である。また、平面視したときの流体室Ｃ４の設けられる領域の面積をＳ４とし、小領域ＡＲｐ２の面積をＳｐ２とし、小領域ＡＲｐ４の面積をＳｐ４とすると、係数ｋ５は、面積Ｓ４に対する面積Ｓｐ２の割合に基づいて定められる値であり、係数ｋ６は、面積Ｓ４に対する面積Ｓｐ４の割合に基づいて定められる値である。すなわち、係数ｋ３と係数ｋ４との間には、以下の式（５）に示す関係が成立し、係数ｋ５と係数ｋ６との間には、以下の式（６）に示す関係が成立する。
ｋ３：ｋ４  ＝  Ｓｐ１：Ｓｐ３  ……（５）
ｋ５：ｋ６  ＝  Ｓｐ２：Ｓｐ４  ……（６）
なお、本実施形態では、面積Ｓｐ１と面積Ｓｐ４とは等しく、面積Ｓｐ２と面積Ｓｐ３とは等しい。また、本実施形態では、面積Ｓｐ１と面積Ｓｐ２との和は、平面視したときの流体室Ｃ１の面積よりも小さく、面積Ｓｐ３と面積Ｓｐ４との和は、平面視したときの流体室Ｃ２の面積よりも小さい。
【００２７】
体動情報分離部２１は、出力信号Ｆ１及び出力信号Ｆ３に基づいて第１生体情報ＦＡを生成する。具体的には、時刻ｔにおける第１生体情報ＦＡの値を表す関数をＦＡ（ｔ）としたとき、関数ＦＡ（ｔ）は、以下の式（７）を満たす。
ＦＡ（ｔ）  ＝  Ｆ１（ｔ）−Ｆ３（ｔ）
＝  ｛１−ｋ３｝×Ａ（ｔ）＋｛ｋ１−ｋ４｝×Ｂ（ｔ）
＝  Ａ（ｔ）＋｛−ｋ３｝×Ａ（ｔ）
＋｛ｋ１−ｋ４｝×Ｂ（ｔ）    ……（７）
第１生体情報ＦＡは、第１の被験者ＨＡの身体の動きを表す成分「｛１−ｋ３｝×Ａ（ｔ）」、及び、第２の被験者ＨＢの身体の動きを表す成分「｛ｋ１−ｋ４｝×Ｂ（ｔ）」を有する。
ここで、係数ｋ３及び係数ｋ４は、式（７）に示す関数ＦＡ（ｔ）における関数Ｂ（ｔ）の項「｛ｋ１−ｋ４｝×Ｂ（ｔ）」の大きさが小さくなるように、適宜定められる。すなわち、流体室Ｃ３（小領域ＡＲｐ１及び小領域ＡＲｐ３）は、第１生体情報ＦＡにおいて第２の被験者ＨＢの身体の動きを表す成分の占める割合が小さくなるように設けられる。
【００２８】
なお、式（７）において、「ｋ１−ｋ４」が「０」となるように、係数ｋ４（面積Ｓｐ３）を定めると、関数ＦＡ（ｔ）における関数Ｂ（ｔ）の項の大きさを「０」とすることができる。
しかし、平面視したときに流体室Ｃ１と第２寝具領域ＡＲｍ２とが重ならないのに対して、流体室Ｃ３と第２寝具領域ＡＲｍ２とは重なるため、流体室Ｃ１の圧力変化において第２の被験者ＨＢの身体の動きが寄与する割合を示す値である係数ｋ１は、流体室Ｃ３の圧力変化において第２の被験者ＨＢの身体の動きが寄与する割合を示す値である係数ｋ４よりも小さな値となる。よって、「ｋ１−ｋ４」を０にすることはできない。
そこで、本実施形態では、係数ｋ３及び係数ｋ４が、以下の式（８）に示す条件を満たすように、面積Ｓｐ１及び面積Ｓｐ３を定めることで、関数ＦＡ（ｔ）における関数Ｂ（ｔ）の項の大きさを小さくする。
｛−ｋ３｝  ＞  ｛ｋ１−ｋ４｝    ……（８）
式（８）は、以下の式（９）に変形される。
ｋ４  ＞  ｋ１＋ｋ３    ……（９）
すなわち、本実施形態では、式（９）に示す条件が満たされるように、小領域ＡＲｐ１の面積Ｓｐ１及び小領域ＡＲｐ３の面積Ｓｐ３を定める。より具体的には、図４に示すように、面積Ｓｐ３が、面積Ｓｐ１よりも大きくなるように、流体室Ｃ３を配置する。これにより、関数ＦＡ（ｔ）における関数Ｂ（ｔ）の項の大きさを小さくすることができ、関数Ａ（ｔ）で表される第１の被験者ＨＡの身体の動きを抽出することができる。
【００２９】
同様に、体動情報分離部２１は、出力信号Ｆ２及び出力信号Ｆ４に基づいて第２生体情報ＦＢを生成する。具体的には、時刻ｔにおける第２生体情報ＦＢの値を表す関数をＦＢ（ｔ）としたとき、関数ＦＢ（ｔ）は、以下の式（１０）を満たす。
ＦＢ（ｔ）  ＝  Ｆ２（ｔ）−Ｆ４（ｔ）
＝  ｛１−ｋ６｝×Ｂ（ｔ）＋｛ｋ２−ｋ５｝×Ａ（ｔ）
＝  Ｂ（ｔ）＋｛−ｋ６｝×Ｂ（ｔ）
＋｛ｋ２−ｋ５｝×Ａ（ｔ）    ……（１０）
第２生体情報ＦＢは、第１の被験者ＨＡの身体の動きを表す成分「｛ｋ２−ｋ５｝×Ａ（ｔ）」、及び、第２の被験者ＨＢの身体の動きを表す成分「｛１−ｋ６｝×Ｂ（ｔ）」を有する。
ここで、係数ｋ５及び係数ｋ６は、式（１０）において関数Ａ（ｔ）の項「｛ｋ２−ｋ５｝×Ａ（ｔ）」の大きさが小さくなるように、適宜定められる。すなわち、流体室Ｃ４（小領域ＡＲｐ２及び小領域ＡＲｐ４）は、第２生体情報ＦＢにおいて第１の被験者ＨＡの身体の動きを表す成分の占める割合が小さくなるように設けられる。
【００３０】
本実施形態では、係数ｋ５及び係数ｋ６が、以下の式（１１）に示す条件を満たすように、面積Ｓｐ２及び面積Ｓｐ４を定めことで、関数ＦＢ（ｔ）における関数Ａ（ｔ）の項の大きさを小さくする。
｛−ｋ６｝  ＞  ｛ｋ２−ｋ５｝    ……（１１）
式（１１）は、以下の式（１２）に変形される。
ｋ５  ＞  ｋ２＋ｋ６    ……（１２）
すなわち、本実施形態では、式（１２）の条件が満たされるように、小領域ＡＲｐ２の面積Ｓｐ２及び小領域ＡＲｐ４の面積Ｓｐ４を定める。より具体的には、図４に示すように、面積Ｓｐ２が、面積Ｓｐ４よりも大きくなるように、流体室Ｃ４を配置する。これにより、関数ＦＢ（ｔ）において関数Ａ（ｔ）の項の大きさを小さくすることができ、関数Ｂ（ｔ）で示される第２の被験者ＨＢの身体の動きを抽出することができる。
【００３１】
以上に示したように、本実施形態に係る生体情報測定装置１では、流体室Ｃ３（小領域ＡＲｐ１及び小領域ＡＲｐ３）が、第１生体情報ＦＡにおける第２の被験者ＨＢの身体の動きを表す成分の占める割合が小さくなるように設けられ、流体室Ｃ４（小領域ＡＲｐ２及び小領域ＡＲｐ４）が、第２生体情報ＦＢにおける第１の被験者ＨＡの身体の動きを表す成分の占める割合が小さくなるように設けられる。すなわち、第１生体情報ＦＡは、第１の被験者ＨＡの身体の動きを表すものと看做すことができ、第２生体情報ＦＢは、第２の被験者ＨＢの身体の動きを表すものと看做すことができる。これにより、本実施形態に係る生体情報測定装置１は、同一の寝具Ｍ上に横臥する第１の被験者ＨＡ及び第２の被験者ＨＢの各々の身体の動きを同時に測定することができる。
【００３２】
ここで、図６に示す体動検出部１０ａを備える生体情報測定装置（以下、対比例１に係る生体情報測定装置と称する）により、第１生体情報ＦＡ及び第２生体情報ＦＢを生成する場合を検討する。体動検出部１０ａは、圧力検出部Ｐ３及び圧力検出部Ｐ４を具備せずに、圧力検出部Ｐ１及び圧力検出部Ｐ２のみを具備する。
対比例１に係る生体情報測定装置が備える体動情報分離部は、まず、流体室Ｃ１の圧力変化に対して第２の被験者ＨＢの身体の動きが寄与する割合を示す値である係数ｋ１を算出する。そして、対比例１に係る生体情報測定装置が備える体動情報分離部は、圧力検出部Ｐ２が出力する出力信号Ｆ２の示す値に係数ｋ１を積算した値を、圧力検出部Ｐ１が出力する出力信号Ｆ１の示す値から減算することで、第１生体情報ＦＡを生成する。また、対比例１に係る生体情報測定装置が備える体動情報分離部は、流体室Ｃ２の圧力変化に対して第１の被験者ＨＡの身体の動きが寄与する割合を示す値である係数ｋ２を算出したうえで、出力信号Ｆ１の示す値に係数ｋ２を積算した値を出力信号Ｆ２の示す値から減算することで、第２生体情報ＦＢを生成する。
これに対して、本実施形態に係る、出力信号Ｆ１の示す値から出力信号Ｆ３の示す値を減算するという簡易な計算によって、第１生体情報ＦＡを生成するとともに、出力信号Ｆ２の示す値から出力信号Ｆ４の示す値を減算するという簡易な計算によって、第２生体情報ＦＢを生成する。すなわち、本実施形態に係る生体情報測定装置１は、圧力検出部Ｐ３及び圧力検出部Ｐ４を備えることにより、簡易な計算により第１生体情報ＦＡ及び第２生体情報ＦＢを生成することができ、体動情報分離部２１の処理負荷を軽減することが可能となる。
【００３３】
また、本実施形態に係る生体情報測定装置１は、図４に示すように、４つの圧力検出部Ｐ１〜Ｐ４を備える。そして、小領域ＡＲｐ３の面積Ｓｐ３が小領域ＡＲｐ１の面積Ｓｐ１に比べて大きくなるように圧力検出部Ｐ３の流体室Ｃ３を設けることで、関数ＦＡ（ｔ）における関数Ｂ（ｔ）の項の大きさを小さくすることができる。また、小領域ＡＲｐ２の面積Ｓｐ２が小領域ＡＲｐ４の面積Ｓｐ４に比べて大きくなるように圧力検出部Ｐ４の流体室Ｃ４を設けることで、関数ＦＢ（ｔ）における関数Ａ（ｔ）の項の大きさを小さくすることができる。
【００３４】
ここで、図７に示す体動検出部１０ｂを備える生体情報測定装置（以下、対比例２に係る生体情報測定装置と称する）により、第１生体情報ＦＡｂ及び第２生体情報ＦＢｂを生成する場合を検討する。
図７に示す体動検出部１０ｂは、圧力検出部Ｐ３及び圧力検出部Ｐ４の代わりに、圧力検出部Ｐ５を備える点を除き、図４に示す体動検出部１０と同様に構成される。圧力検出部Ｐ５は、流体室Ｃ５と、流体室Ｃ５の内部の圧力変化を検知する信号生成部Ｄ５とを備える。また、流体室Ｃ５のうち、平面視して第１領域ＡＲ１と重なる領域を小領域ＡＲｐ５と称し、平面視して第２領域ＡＲ２と重なる領域を小領域ＡＲｐ６と称する。圧力検出部Ｐ５は出力信号Ｆ５を出力する。時刻ｔにおける出力信号Ｆ５の大きさを表す関数Ｆ５（ｔ）は、以下の式（１３）で表される。なお、以下の式（１３）に現れる係数ｋ７及び係数ｋ８は「０」よりも大きな実数である。
Ｆ５（ｔ）＝  ｋ７×Ａ（ｔ）＋ｋ８×Ｂ（ｔ）  ……（１３）
また、対比例２に係る生体情報測定装置が備える体動情報分離部は、出力信号Ｆ１及び出力信号Ｆ５に基づいて第１生体情報ＦＡｂを生成し、出力信号Ｆ２及び出力信号Ｆ５に基づいて第２生体情報ＦＢｂを生成する。時刻ｔにおける第１生体情報ＦＡｂの値を表す関数ＦＡｂ（ｔ）は、以下の式（１４）で表され、時刻ｔにおける第２生体情報ＦＢｂの値を表す関数ＦＢｂ（ｔ）は、以下の式（１５）で表される。
ＦＡｂ（ｔ）  ＝  Ｆ１（ｔ）−Ｆ５（ｔ）
＝  ｛１−ｋ７｝×Ａ（ｔ）
＋｛ｋ１−ｋ８｝×Ｂ（ｔ）  ……（１４）
ＦＢｂ（ｔ）  ＝  Ｆ２（ｔ）−Ｆ５（ｔ）
＝  ｛１−ｋ８｝×Ｂ（ｔ）
＋｛ｋ２−ｋ７｝×Ａ（ｔ）  ……（１５）
【００３５】
関数ＦＡｂ（ｔ）において関数Ｂ（ｔ）の項の大きさを小さくするためには、以下の式（１６）を満たす必要がある。また、関数ＦＢｂ（ｔ）において関数Ａ（ｔ）の項の大きさを小さくするためには、以下の式（１７）を満たす必要がある。
ｋ８  ＞  ｋ７    ……（１６）
ｋ７  ＞  ｋ８    ……（１７）
しかし、式（１６）及び式（１７）を同時に満たすことはできないため、係数ｋ７及び係数ｋ８は、以下の式（１８）を満たすような値に定められる。すなわち、体動検出部１０ｂにおいて、小領域ＡＲｐ５及び小領域ＡＲｐ６が等しい面積となるように、流体室Ｃ５が設けられる。
ｋ７  ＝  ｋ８    ……（１８）
【００３６】
図８乃至図１１は、実施形態に係る生体情報測定装置１と、対比例２に係る生体情報測定装置とを比較するために行ったシミュレーションの前提及び結果を表すグラフである。当該シミュレーションは、関数Ａ（ｔ）及び関数Ｂ（ｔ）が前提条件として与えられた場合に、実施形態に係る生体情報測定装置１が生成する第１生体情報ＦＡの値を表す関数ＦＡ（ｔ）と、対比例２に係る生体情報測定装置が生成する第１生体情報ＦＡｂの値を表す関数ＦＡｂ（ｔ）とのいずれが、関数Ａ（ｔ）に近い形状を有するかについて、比較する。
【００３７】
図８は、本シミュレーションの前提条件である関数Ａ（ｔ）を表すグラフであり、縦軸は関数Ａ（ｔ）の大きさを、横軸は時間ｔを表す。上述のとおり、関数Ａ（ｔ）とは、寝具Ｍ上に第１の被験者ＨＡのみが横臥している場合の、出力信号Ｆ１の大きさを表す関数である。
なお、このシミュレーションは、被験者の身体の動きが、脈拍及び呼吸のみの場合を想定する。すなわち、関数Ａ（ｔ）は、第１の被験者ＨＡの呼吸に起因する流体室Ｃ１の圧力変化を示す波形、及び、第１の被験者ＨＡの脈拍に起因する流体室Ｃ１の圧力変化を示す波形を、重畳させた波形を表す。
また、図において、関数Ａ（ｔ）の表す波形の上側ピーク及び下側ピークに対して、「○」印を付している。呼吸を表す波形は、脈拍を表す波形に比べて振幅が大きいため、「○」印を付した部分は、第１の被験者ＨＡの呼吸を表す波形のピークと看做すことができる。すなわち、第１の被験者ＨＡの呼吸を表す波形は、４つの上側ピークと４つの下側ピークを有しており、時刻ｔ＝０から時刻ｔ＝１５に至るまでの期間において第１の被験者ＨＡが４回の呼吸を行ったことを表している。
図９は、関数Ｂ（ｔ）を表すグラフであり、縦軸は関数Ｂ（ｔ）の大きさを、横軸は時間ｔを表す。なお、関数Ｂ（ｔ）とは、寝具Ｍ上に第２の被験者ＨＢのみが横臥している場合の、出力信号Ｆ２の大きさを表す関数である。この図に示すように、第２の被験者ＨＢの呼吸を表す波形は、３個の上側ピークと２個の下側ピークとを有している。
【００３８】
図１０は、本実施形態に係る生体情報測定装置１が算出する第１生体情報ＦＡの示す値の経時的な変化を表す波形、すなわち、関数ＦＡ（ｔ）を表すグラフである。なお、本シミュレーションでは、関数ＦＡ（ｔ）の算出にあたり、係数ｋ１を「０．１」に、係数ｋ３を「０．２」に、係数ｋ４を「０．６」にそれぞれ設定した。
図１０に示すように、関数ＦＡ（ｔ）の表す波形は、４個の上側ピークと４個の下側ピークとを有する。すなわち、図１０に示す波形のピークの個数と、図８に示す波形のピークの個数とは一致する。従って、関数ＦＡ（ｔ）により、第１の被験者ＨＡが時刻ｔ＝０から時刻ｔ＝１５に至るまでの期間において行った呼吸の回数を検知することができる。
図１１は、対比例２に係る生体情報測定装置が算出する第１生体情報ＦＡｂの大きさの値な変化を表す波形、すなわち、関数ＦＡｂ（ｔ）を表すグラフである。なお、本シミュレーションでは、関数ＦＡｂ（ｔ）の算出にあたり、係数ｋ１を「０．１」に、係数ｋ７を「０．６」に、係数ｋ８を「０．６」にそれぞれ設定した。
図１１に示すように、関数ＦＡｂ（ｔ）の表す波形は、２個の上側ピークと、３個の下側ピークとを有する。すなわち、図１１に示す波形のピークの個数と、図８に示す波形のピークの個数とは一致しない。従って、関数ＦＡｂ（ｔ）より、第１の被験者ＨＡが時刻ｔ＝０から時刻ｔ＝１５に至るまでの期間において行った呼吸の回数を検知することはできない。
【００３９】
このように、対比例２に係る生体情報測定装置は、体動検出部１０ｂが３つの圧力検出部Ｐ１、Ｐ２、Ｐ５しか備えないため、第１の被験者ＨＡの身体の動きと、第２の被験者ＨＢの身体の動きを正確に分離することができないのに対して、本実施形態に係る生体情報測定装置１は、体動検出部１０が４つの圧力検出部Ｐ１〜Ｐ４を備え、上述した式（９）及び式（１２）に示す条件を満たすように流体室Ｃ３及び流体室Ｃ４が設けられるため、第１の被験者ＨＡの身体の動きと、第２の被験者ＨＢの身体の動きとを分離することができる。すなわち、本実施形態に係る生体情報測定装置１は、同一の寝具Ｍ上に横臥する第１の被験者ＨＡ及び第２の被験者ＨＢの各々の身体の動きを同時に測定することができる。
【００４０】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００４１】
＜変形例１＞
上述した実施形態に係る信号抽出部２２は、２名の被験者の各々の脈拍信号、呼吸信号、及び、体動信号を生成するが、脈拍信号、呼吸信号、及び、体動信号のうち少なくとも１つを生成するものであってもよい。
【００４２】
＜変形例２＞
上述した実施形態及び変形例では、体動検出部１０と制御ボックス３０とは別体として形成されるが、一体として形成されるものであってもよい。この場合、制御ボックス３０は体動検出部１０とともに寝具Ｍの下に配置されてもよい。
【００４３】
＜変形例３＞
上述した実施形態及び変形例では、制御ボックス３０は、演算処理部２０、操作部３１、及び、表示部３２を備えたが、少なくとも、演算処理部２０を備えるものであればよい。
【００４４】
＜変形例４＞
上述した実施形態及び変形例では、演算処理部２０は、体動情報分離部２１と、信号抽出部２２とを備えたが、少なくとも、体動情報分離部２１を備えるものであればよい。この場合、生体情報測定装置１は、第１生体情報ＦＡ及び第２生体情報ＦＢを出力する。
【００４５】
＜変形例５＞
上述した実施形態及び変形例に係る体動検出部１０は、図４に示すように、第３領域ＡＲ３のほぼ全域に流体室Ｃ３または流体室Ｃ４が設けられたが、第３領域ＡＲ３の一部の領域のみに流体室Ｃ３または流体室Ｃ４が設けられるものであってもよい。
図１２は、変形例５に係る体動検出部１０ｃを示す平面図である。体動検出部１０ｃは、圧力検出部Ｐ３及び圧力検出部Ｐ４の代わりに、流体室Ｃ３ｃを有する圧力検出部Ｐ３ｃ及び流体室Ｃ４ｃを有する圧力検出部Ｐ４ｃを備える点を除き、図４に示す体動検出部１０と同様に構成される。図１２に示すように、流体室Ｃ３ｃ及び流体室Ｃ４ｃは、第３領域ＡＲ３の一部の領域に設けられる。変形例５に係る体動検出部１０ｃは、実施形態に係る体動検出部１０と同様に、小領域ＡＲｐ３の面積Ｓｐ３が小領域ＡＲｐ１の面積Ｓｐ１よりも大きく、小領域ＡＲｐ２の面積Ｓｐ２が小領域ＡＲｐ４の面積Ｓｐ４よりも大きいため、第１の被験者ＨＡ及び第２の被験者ＨＢの各々の身体の動きを同時に測定することができる。
【００４６】
いずれにしても、流体室Ｃ３は、小領域ＡＲｐ１及び小領域ＡＲｐ３が、式（９）に示す条件を満たすように（すなわち、平面視したときの小領域ＡＲｐ３の面積Ｓｐ３が小領域ＡＲｐ１の面積Ｓｐ１よりも大きくなるように）設けられれば、どのような形状であってもよく、流体室Ｃ４は、小領域ＡＲｐ２及び小領域ＡＲｐ４が、式（１２）に示す条件を満たすように（すなわち、平面視したときの小領域ＡＲｐ２の面積Ｓｐ２が小領域ＡＲｐ４の面積Ｓｐ４よりも大きくなるように）設けられれば、どのような形状であってもよい。
また、流体室Ｃ１〜Ｃ４は、平面視したときに互いに重なる部分を有していても構わない。
【００４７】
＜変形例６＞
上述した実施形態及び変形例では、流体室Ｃ３（流体室Ｃ３ｃ）は、小領域ＡＲｐ１及び小領域ＡＲｐ３が、式（９）に示す条件を満たすように設けられ、流体室Ｃ４（流体室Ｃ４ｃ）は、小領域ＡＲｐ２及び小領域ＡＲｐ４が、式（１２）に示す条件を満たすように設けられたが、本発明はこのような形態に限定されるものではなく、流体室Ｃ３（流体室Ｃ３ｃ）は、式（７）に示す関数ＦＡ（ｔ）における関数Ｂ（ｔ）の項「｛ｋ１−ｋ４｝×Ｂ（ｔ）」の大きさが小さくなるように設けられればよく、流体室Ｃ４（流体室Ｃ４ｃ）は、式（１０）に示す関数ＦＢ（ｔ）における関数Ａ（ｔ）の項「｛ｋ２−ｋ５｝×Ａ（ｔ）」の大きさが小さくなるように設けられればよい。
例えば、以下の条件を満たす係数ｋ３及び係数ｋ４が得られるように、流体室Ｃ３及び流体室Ｃ４を配置してもよい。
【００４８】
関数Ｆ１（ｔ）において、関数Ａ（ｔ）に付与される係数「１」の大きさと、関数Ｂ（ｔ）に付与される係数「ｋ１」の大きさとの比率を表す値α１を、以下の式（１９）のように定め、関数ＦＡ（ｔ）において、関数Ａ（ｔ）に付与される係数「１−ｋ３」の大きさと、関数Ｂ（ｔ）に付与される係数「ｋ１−ｋ４」の大きさとの比率を表す値α２を、以下の式（２０）のように定める。このとき、値α１及び値α２が以下の式（２１）に示す条件を満たせば、関数ＦＡ（ｔ）の大きさに対する関数Ｂ（ｔ）の項の大きさの占める割合を、関数Ｆ１（ｔ）の大きさにおける関数Ｂ（ｔ）の項の大きさの占める割合に比べて小さくすることができる。
α１  ＝  ｋ１  ……（１９）
α２  ＝  ｜ｋ１−ｋ４｜／｜１−ｋ３｜  ……（２０）
α１  ＞  α２  ……（２１）
式（２１）は、以下の式（２２）に変形される。
ｋ４  ＜  ｛２−ｋ３｝×ｋ１  ……（２２）
すなわち、式（２２）を満たすように流体室Ｃ３を配置することで、第１の被験者ＨＡの身体の動きを正確に表す第１生体情報ＦＡを生成することが可能となる。
【００４９】
同様に、関数Ｆ２（ｔ）において、関数Ｂ（ｔ）に付与される係数「１」の大きさと、関数Ａ（ｔ）に付与される係数「ｋ２」の大きさとの比率を表す値β１を、以下の式（２３）のように定め、関数ＦＢ（ｔ）において、関数Ｂ（ｔ）に付与される係数「１−ｋ６」の大きさと、関数Ａ（ｔ）に付与される係数「ｋ２−ｋ５」の大きさとの比率を表す値β２を、以下の式（２４）のように定める。このとき、値β１及び値β２が以下の式（２５）に示す条件を満たせば、関数ＦＢ（ｔ）の大きさに対する関数Ａ（ｔ）の項の大きさの占める割合を、関数Ｆ２（ｔ）の大きさに対する関数Ａ（ｔ）の項の大きさの占める割合に比べて、小さくすることができる。
β１  ＝  ｋ２  ……（２３）
β２  ＝  ｜ｋ２−ｋ５｜／｜１−ｋ６｜  ……（２４）
β１  ＞  β２  ……（２５）
式（２５）は、以下の式（２２）に変形される。
ｋ５  ＜  ｛２−ｋ６｝×ｋ２  ……（２６）
すなわち、式（２６）を満たすように流体室Ｃ４を配置することで、第２の被験者ＨＢの身体の動きを正確に表す第２生体情報ＦＢを生成することが可能となる。
【符号の説明】
【００５０】
１…生体情報測定装置、１０…体動検出部、２０…演算処理部、２００…配線、２１…体動情報分離部、２２…信号抽出部、３０…制御ボックス、３１…操作部、３２…表示部、ＡＲ１…第１領域、ＡＲ２…第２領域、ＡＲ３…第３領域、ＡＲｍ１…第１寝具領域、ＡＲｍ２…第２寝具領域、ＨＡ…第１の被験者、ＨＢ…第２の被験者、ＡＲｐ１〜６…小領域、Ｃ、Ｃ１〜Ｃ５…流体室、Ｄ、Ｄ１〜Ｄ５…信号生成部、Ｐ、Ｐ１〜Ｐ５…圧力検出部、Ｍ…寝具。
【図１】
0005907423.tif 000002
【図２】
0005907423.tif 000003
【図３】
0005907423.tif 000004
【図４】
0005907423.tif 000005
【図５】
0005907423.tif 000006
【図６】
0005907423.tif 000007
【図７】
0005907423.tif 000008
【図８】
0005907423.tif 000009
【図９】
0005907423.tif 000010
【図１０】
0005907423.tif 000011
【図１１】
0005907423.tif 000012
【図１２】
0005907423.tif 000013